(57)【要約】  本発明はスマート自動販売機及びその制御方法を提供し、該スマート自動販売機は、商品情報タグが付いている販売待ち商品を陳列するための商品棚（１０２）が設けられる筐体（１０）と、筐体（１０）に取り付けられ、且つ移動端末機器に走査されることによりスマート自動販売機の識別情報を取得してサーバーに送信し確認を行う識別情報タグ（３０２）が設けられるドア（２０）と、筐体（１０）及びドア（２０）と電磁シールドスペースを形成するシールリング（７０）と、筐体（１０）内に設けられ、タグスキャナ（３０４）及び通信モジュール（３０６）がいずれも中央処理装置（３０２）に接続される主制御システムと、を含み、通信モジュール（３０６）は中央処理装置（３０２）とサーバーとの通信接続を確立し、中央処理装置（３０２）は、サーバーが識別情報に誤りがないことを確認して送信したドアオープンコマンドを受信すると、ドア（２０）を閉じた状態から開いた状態にするように制御し、タグスキャナ（３０４）は、ドア（２０）が開いた状態から閉じた状態になった後に、筐体（１０）内の全ての商品情報タグを走査し、現在の在庫情報を確認してメモリに記憶する。該スマート自動販売機はユーザが操作しやすい。
2021506041.tif 000002
【特許請求の範囲】
【請求項１】
スマート自動販売機において、
筐体であって、電磁シールド機能を有するハウジング及び筐体フレームを有し、且つ前記筐体の内壁が電磁シールド機能を有しない非金属材料であり、前記筐体内に販売待ち商品を陳列するための少なくとも１層の商品棚が設けられ、前記販売待ち商品には対応する商品情報電子タグが付いている筐体と、
ドアであって、周囲がドアフレームであり、中央が透明窓であり、前記ドアフレームの一側の中央位置にハンドルが設けられ、前記ドアフレームと前記透明窓がいずれも電磁シールド機能を有し且つ両者の間が全体として電磁漏れギャップなしで接続され、前記ドアが前記筐体に取り付けられ、前記ドアフレームと前記筐体フレームとの間に電磁シールド機能を有するシールリングが設けられ、前記ドアが閉じた状態にあるときに、前記筐体、前記ドア及び前記シールリングが全体として電磁漏れギャップなしで構成し、且つ前記ドアには前記スマート自動販売機の識別情報を取得するように移動端末機器が走査するために用いられる識別情報タグが設けられ、前記識別情報が暗号化情報であるドアと、
主制御システムであって、前記筐体内に設けられ、且つ前記主制御システムが中央処理装置、メモリ、タグスキャナ及び通信モジュールを含み、前記タグスキャナ及び前記通信モジュールがいずれも前記中央処理装置に接続される主制御システムと、を含み、
前記通信モジュールは前記中央処理装置とサーバーとの通信接続を確立するために用いられ、前記中央処理装置は、前記サーバーが前記識別情報に誤りがないことを確認して送信したドアオープンコマンドを受信すると、前記ドアを閉じた状態から開いた状態にするように制御するために用いられ、
前記タグスキャナは、前記ドアが開いた状態から閉じた状態になった後に、前記筐体内の全ての商品情報タグを走査し、前記スマート自動販売機の現在の在庫情報を確認するために用いられ、前記現在の在庫情報が前記メモリに記憶される、ことを特徴とするスマート自動販売機。
【請求項２】
前記中央処理装置はさらに、前記現在の在庫情報を記憶された履歴在庫情報と比較して前記ドアが閉じた状態から開いた状態になった後にユーザが取り出した販売済み商品を特定するために用いられ、
前記通信モジュールはさらに、前記販売済み商品の商品情報を前記サーバーに送信し、それにより前記サーバーは前記販売済み商品の商品情報に基づいて対応する課金情報を生成し、且つ前記課金情報に基づいて前記移動端末機器と課金決済を行うために用いられるか、
又は、
前記通信モジュールはさらに、前記現在の在庫情報を前記サーバーに送信し、それにより前記サーバーは前記現在の在庫情報を前記ドアが開く前の履歴在庫情報と比較して販売済み商品を特定し、前記販売済み商品の商品情報に基づいて対応する課金情報を生成し、且つ前記課金情報に基づいて前記移動端末機器と課金決済を行うために用いられる、ことを特徴とする請求項１に記載のスマート自動販売機。
【請求項３】
前記主制御システムは電源モジュール、負荷制御モジュール及び検出モジュールをさらに含み、
前記電源モジュールは前記中央処理装置、前記負荷制御モジュール、前記通信モジュール及び前記タグスキャナに動作電源を供給するために用いられ、
前記負荷制御モジュールは前記中央処理装置に接続され、
前記検出モジュールは前記中央処理装置に接続され、前記筐体内の動作環境パラメータ及び前記ドアの開閉状態を検出するために用いられる、ことを特徴とする請求項１に記載のスマート自動販売機。
【請求項４】
前記ハンドルの中央位置に設けられ、前記負荷制御モジュールに接続されるロック機構をさらに含み、前記負荷制御モジュールは前記ロック機構の開閉状態を制御するために用いられ、且つ前記ロック機構は、前記筐体に取り付けられるロック本体部と、前記ドアに取り付けられるロックキャッチとを含む、ことを特徴とする請求項３に記載のスマート自動販売機。
【請求項５】
前記筐体内に設けられ、前記負荷制御モジュールに接続される照明装置をさらに含み、前記負荷制御モジュールは前記照明装置の開閉状態を制御するために用いられる、ことを特徴とする請求項３に記載のスマート自動販売機。
【請求項６】
前記筐体内に設けられ、前記負荷制御モジュールに接続される冷却システムをさらに含み、前記負荷制御モジュールは前記冷却システムの開閉状態を制御するために用いられる、ことを特徴とする請求項３に記載のスマート自動販売機。
【請求項７】
前記商品情報タグはＲＦＩＤタグを含み、
前記タグスキャナはＲＦＩＤスキャナである、ことを特徴とする請求項１から６のいずれか一項に記載のスマート自動販売機。
【請求項８】
前記識別情報タグはＱＲコード又はＮＦＣを含む、ことを特徴とする請求項１から６のいずれか一項に記載のスマート自動販売機。
【請求項９】
前記シールリングの材料は導電性ゴムであり、係着、接着又はネジ止めによって前記ドアフレーム及び／又は前記筐体フレームに取り付けられる、ことを特徴とする請求項１に記載のスマート自動販売機。
【請求項１０】
前記シールリングの材料は金属編組パイプであり、前記金属編組パイプには柔軟なプラスチックパイプが挿入され、前記金属編組パイプは接着又はネジ止めによって前記ドアフレーム及び／又は前記筐体フレームに取り付けられる、ことを特徴とする請求項１に記載のスマート自動販売機。
【請求項１１】
請求項１から１０のいずれか一項に記載のスマート自動販売機に用いられるスマート自動販売機の制御方法であって、
通信モジュールがサーバーからのドアオープンコマンドを受信すると、中央処理装置によってスマート自動販売機のドアを閉じた状態から開いた状態にするように制御することと、
前記ドアが開いた状態から再び閉じた状態になると、筐体の商品棚に残している全ての販売待ち商品の商品情報タグを前記タグスキャナで走査して前記筐体の現在の在庫情報を生成することと、
前記中央処理装置によって前記現在の在庫情報を前記ドアが開く前の履歴在庫情報と比較し、販売済み商品を特定することと、
前記通信モジュールによって前記販売済み商品の商品情報を前記サーバーに送信し、それにより前記サーバーは前記販売済み商品の商品情報に基づいて対応する課金情報を生成し、且つ前記課金情報に基づいて移動端末機器と課金決済を行うことと、を含む、ことを特徴とするスマート自動販売機の制御方法。
【請求項１２】
請求項１から１０のいずれか一項に記載のスマート自動販売機に用いられるスマート自動販売機の制御方法であって、
通信モジュールがサーバーからのドアオープンコマンドを受信すると、中央処理装置によってスマート自動販売機のドアを閉じた状態から開いた状態にするように制御することと、
前記ドアが開いた状態から再び閉じた状態になると、筐体の商品棚に残している全ての販売待ち商品の商品情報タグを前記タグスキャナで走査して前記筐体の現在の在庫情報を生成することと、
前記通信モジュールによって前記現在の在庫情報を前記サーバーに送信し、それにより前記サーバーは前記現在の在庫情報を前記ドアが開く前の履歴在庫情報と比較して販売済み商品を特定し、前記販売済み商品の商品情報に基づいて対応する課金情報を生成し、且つ前記課金情報に基づいて移動端末機器と課金決済を行うことと、を含む、ことを特徴とするスマート自動販売機の制御方法。
【請求項１３】
前記ドアオープンコマンドは、前記サーバーがユーザの識別情報に誤りがなく、ユーザの前回の課金決済が終了したことを確認し及び前記移動端末機器が前記ドアの識別情報タグを走査して取得した前記スマート自動販売機の識別情報に誤りがないことを確認した場合に生成したものであり、前記ユーザの識別情報は、ＷｅＣｈａｔ（登録商標）アカウント情報及び／又はＡｌｉｐａｙ（登録商標）アカウント情報を含む、ことを特徴とする請求項１１又は１２に記載のスマート自動販売機の制御方法。
【請求項１４】
前記筐体の前記現在の在庫情報を生成した後に、
前記現在の在庫情報に含まれる商品の量が予め設定された数の閾値より低いか否かを検出することと、
前記現在の在庫情報に含まれる商品の量が予め設定された数の閾値より低ければ、前記スマート自動販売機に販売待ち商品を補充するように提示することと、をさらに含む、ことを特徴とする請求項１１又は１２に記載のスマート自動販売機の制御方法。
【請求項１５】
前記筐体の前記現在の在庫情報を生成した後に、
前記現在の在庫情報に含まれる商品の量と商品の消費率とに基づいて、前記スマート自動販売機に販売待ち商品を補充する補充時間を提示することをさらに含む、ことを特徴とする請求項１１又は１２に記載のスマート自動販売機の制御方法。
【発明の詳細な説明】
【技術分野】
【０００１】
本発明は、電気製品の技術分野に関し、特に、スマート自動販売機及びその制御方法に関する。
【０００２】
本願は、２０１７年１２月０６日に中国特許庁に提出された、出願番号が第２０１７１１２７６７３２．３号であり、発明の名称が「スマート自動販売機及びその制御方法」である中国特許出願の優先権を主張し、その内容の全てを援用することにより本願に取り入れる。
【背景技術】
【０００３】
現在、従来の自動販売機は特定の商品に対して設計されており、例えばコンピュータで制御され且つ無人で自動決済を実現する自動販売機であって、ドアが常閉状態であり、販売済み商品は商品棚上のトレーにより保持され、支払いが成功した後に機器の伝動機構により購入された商品を送り出し、このタイプの自動販売機の伝動機構は占有体積が大きく、且つユーザの操作が不便である。
【０００４】
また、その中に陳列されている商品を監視することができる機器があるが、例えば複数のＲＦＩＤ（Ｒａｄｉｏ  Ｆｒｅｑｕｅｎｃｙ  Ｉｄｅｎｔｉｆｉｃａｔｉｏｎ、無線周波数識別）リーダーを搭載したロッカーは、複数のＲＦＩＤスキャナを必要とし、そのうち、静的ＲＦＩＤスキャナはドアが閉じているときにロッカー内のＲＦＩＤタグ情報を全て走査し、処理ＲＦＩＤスキャナはドアが開いているときに商品のＲＦＩＤタグを走査し、ロッカー内の商品の監視として、即ちロッカーのドアが開いたり閉じたりするときに、異なるＲＦＩＤスキャナを用いて商品を走査する必要があり、操作が煩雑で使用しにくい。
【０００５】
そのため、操作がより簡単で、ユーザが使用しやすく、それによりユーザ体験を向上させるよりスマート化された無人販売方法を提供することが、解決すべき緊急の技術的課題になっている。
【発明の概要】
【発明が解決しようとする課題】
【０００６】
本発明は、従来技術又は関連技術に存在する技術的課題の少なくとも１つを解決することを目的とする。
【課題を解決するための手段】
【０００７】
そのため、本発明の１つの目的は、新たなスマート自動販売機を提供し、該スマート自動販売機は、ユーザがその識別情報タグを走査してドアを開け、販売待ち商品を任意に選択した後にサーバーにより決済することを許可し、ユーザが操作しやすく、且つ信号シールド効果に優れ、商品決済のエラー率が低く、安全率が高く、それによりユーザの使用体験を効果的に向上させる。
【０００８】
本発明の他の目的は、相応に、スマート自動販売機の制御方法及びコンピュータ可読記憶媒体を提供する。
【０００９】
上記目的の少なくとも１つを達成するために、本発明の第１の態様で提供されるスマート自動販売機は、筐体であって、電磁シールド機能を有するハウジング及び筐体フレームを有し、且つ筐体の内壁が電磁シールド機能を有しない非金属材料であり、筐体内に販売待ち商品を陳列するための少なくとも１層の商品棚が設けられ、販売待ち商品には対応する商品情報電子タグが付いている筐体と、ドアであって、周囲がドアフレームであり、中央が透明窓であり、ドアフレームの一側の中央位置にハンドルが設けられ、ドアフレームと透明窓がいずれも電磁シールド機能を有し且つ両者の間が全体として電磁漏れギャップなしで接続され、ドアが筐体に取り付けられ、ドアフレームと筐体フレームとの間に電磁シールド機能を有するシールリングが設けられ、ドアが閉じた状態にあるときに、筐体、ドア及びシールリングが全体として電磁漏れギャップなしで構成し、且つドアにはスマート自動販売機の識別情報を取得するように移動端末機器が走査するために用いられる識別情報タグが設けられ、前記識別情報が暗号化情報であるドアと、主制御システムであって、筐体内に設けられ、且つ主制御システムが中央処理装置、メモリ、タグスキャナ及び通信モジュールを含み、タグスキャナ及び通信モジュールがいずれも中央処理装置に接続される主制御システムと、を含み、通信モジュールは中央処理装置とサーバーとの通信接続を確立するために用いられ、中央処理装置は、サーバーが識別情報に誤りがないことを確認して送信したドアオープンコマンドを受信すると、ドアを閉じた状態から開いた状態にするように制御するために用いられ、タグスキャナは、ドアが開いた状態から閉じた状態になった後に、筐体内の全ての商品情報タグを走査し、スマート自動販売機の現在の在庫情報を確認するために用いられ、現在の在庫情報がメモリに記憶される。
【００１０】
当該技術的手段において、スマート自動販売機のドア及び筐体は密閉空間を構成し、それぞれの商品情報タグが付いている販売待ち商品は筐体の少なくとも１層の商品棚に陳列され、一般的にスマート自動販売機のドアが閉じた状態にあり、ドアの筐体の内部空間から離れた面には該スマート自動販売機の識別情報タグが設けられ、具体的に使用するときに、ユーザは移動端末機器が該識別情報タグを走査して該スマート自動販売機の識別情報を取得して関連付けて販売待ち商品を購入し、具体的には、取得した識別情報を該スマート自動販売機及び移動端末機器のそれぞれに関連付けられたサーバーに送信し、サーバーは該識別情報に誤りがないことを確認した場合に、該スマート端末機器の主制御システムの通信モジュールを介して該主制御システムの中央処理装置にドアオープンコマンドを送信し、さらに中央処理装置はユーザが購入しようとする販売待ち商品を取り出すように該スマート自動販売機のドアを開けるように制御し、ユーザが商品を取り出してドアを閉めた後、主制御システムのタグスキャナは商品棚に現在残している全ての販売待ち商品に対応する商品情報タグを走査して該スマート自動販売機の現在の在庫情報を統計し、その都度取得した現在の在庫情報をメモリに記憶する。このように、スマート自動販売機に設けられた１つのタグスキャナによってその中の販売待ち商品の在庫を取得することができ、且つ該スマート自動販売機によってユーザはそのドアを開ける場合に要求を満たす商品を選択することができ、伝動機構を介してユーザが選択した商品を該機器から出力する必要がなく、それに応じて伝動機構を介して正確に出力するために販売待ち商品を商品棚の特定の位置に固定する必要がなく、スマート自動販売機の収納スペースを大幅に拡大し、且つ機器の生産コストを低減させ、ユーザの購入操作を容易にし、簡単で便利であり、ユーザ体験を効果的に向上させ、ユーザの生活に大きな利便性を提供し、それとともに、ドアと筐体とで構成される密閉空間の無線周波数信号が外部に漏れ、商品が誤って走査されることが発生しないように保証するために、ドアを閉めるとスマート自動販売機内に電磁漏れギャップのない電磁シールドスペースを形成するように、筐体のハウジング、筐体フレーム、ドアのドアフレーム及び透明窓は電磁シールド機能を有するように設けられ、ドアフレームと筐体フレームの間に電磁シールド機能を同様に有するシールリングが設けられてもよく、筐体の内壁は電磁シールド機能のない非金属材料であるため、商品の決済に影響を与えないため、スマート自動販売機は優れた信号シールド効果を有し、商品決済のエラー率が低く、機器の安全率を向上させる。
【００１１】
ここで、販売待ち商品に付いているそれと１対１に対応する商品情報タグにはその名称、単価、分類、有効期限などの情報を含んでもよく、スマート自動販売機の識別情報タグに含まれる識別情報は該スマート自動販売機に対応する機器番号などの一意に識別可能な情報であってもよい。
【００１２】
上記技術的手段において、好ましくは、中央処理装置はさらに、現在の在庫情報を記憶された履歴在庫情報と比較してドアが閉じた状態から開いた状態になった後にユーザが取り出した販売済み商品を特定するために用いられ、通信モジュールはさらに、販売済み商品の商品情報をサーバーに送信し、それによりサーバーが販売済み商品の商品情報に基づいて対応する課金情報を生成し、且つ課金情報に基づいて移動端末機器と課金決済を行うために用いられるか、又は、通信モジュールはさらに、現在の在庫情報をサーバーに送信し、それによりサーバーが現在の在庫情報をドアが開く前の履歴在庫情報と比較して販売済み商品を特定し、販売済み商品の商品情報に基づいて対応する課金情報を生成し、且つ課金情報に基づいて移動端末機器と課金決済を行うために用いられる。
【００１３】
当該技術的手段において、スマート自動販売機の中央処理装置によりユーザが販売待ち商品を取り出した後に残している現在の在庫情報を履歴在庫情報と比較してユーザが取り出した販売済み商品（即ち、筐体内で今回送り出された商品）を特定し、通信モジュールによって販売済み商品に対応する商品情報タグにおける商品情報（例えば、数量、単価）をサーバーに送信することにより、該販売済み商品の課金情報を生成することができ、また、通信モジュールによってスマート自動販売機の現在の在庫情報をサーバーに直接送信して販売済み商品を特定することもでき、つまり、サーバーは、ユーザが販売待ち商品を取り出した後に残している現在の在庫情報を履歴在庫情報と比較してユーザが取り出した販売済み商品を特定し、さらに販売済み商品に対応する商品情報タグにおける商品情報に基づいて、該販売済み商品の課金情報を生成し、さらに該販売済み商品の課金操作は具体的には生成された課金情報に基づいてサーバーがユーザの移動端末機器と課金決済を行い、このようにユーザが購入しようとする商品を取り出した後に支払いを行い、従来の自動販売機における伝動機構の故障によりユーザが支払った後に商品を正常に入手できないという事態を効果的に回避することができ、ユーザの使用体験をさらに向上させる。
【００１４】
上記いずれかの技術的手段において、好ましくは、主制御システムは電源モジュール、負荷制御モジュール及び検出モジュールをさらに含み、電源モジュールは中央処理装置、負荷制御モジュール、通信モジュール及びタグスキャナに動作電源を供給するために用いられ、負荷制御モジュールは中央処理装置に接続され、検出モジュールは中央処理装置に接続され、筐体内の動作環境パラメータ及びドアの開閉状態を検出するために用いられる。
【００１５】
当該技術的手段において、スマート自動販売機の主制御システムは中央処理装置の関連制御コマンドに基づいてスマート自動販売機関連部材の開閉状態を制御する負荷制御モジュールと、スマート自動販売機の筐体内の動作環境パラメータ及びドアの開閉状態を検出するための検出モジュールと、をさらに含み、それによって筐体内の環境状態を適時に調整しその中の販売待ち商品に適切な貯蔵環境を提供し、商品の品質を保証し、且つドアの開閉状態の変化状況に応じてスマート自動販売機における現在の在庫情報を適時に統計し、さらに該主制御システムは、中央処理装置、通信モジュール、負荷制御モジュール、及びタグスキャナに動作電源を供給する電源モジュールを含み、具体的には該電源モジュールは商用電源から電源を取得することができる。
【００１６】
上記いずれかの技術的手段において、好ましくは、スマート自動販売機はハンドルの中央位置に設けられ、負荷制御モジュールに接続されるロック機構をさらに含み、負荷制御モジュールはロック機構の開閉状態を制御するために用いられ、且つロック機構は、筐体に取り付けられるロック本体部と、ドアに取り付けられるロックキャッチを含む。
【００１７】
当該技術的手段において、スマート自動販売機の筐体及びドアはロック機構のロック本体部とロックキャッチの係合によって開閉を実現し、具体的には該ロック機構は負荷制御モジュールが中央処理装置の対応するロック解除又はロックのコマンドを受信したときに対応して開閉し、それによりスマート自動販売機の筐体内に陳列されている販売待ち商品の安全性を保証し、販売者に不要な損失を与えることを回避し、ここで、ロック機構のロック本体部とロックキャッチをそれぞれ筐体及びドアに設けることが好ましい。
【００１８】
上記いずれかの技術的手段において、好ましくは、スマート自動販売機は、筐体内に設けられ、負荷制御モジュールに接続される照明装置をさらに含み、負荷制御モジュールは照明装置の開閉状態を制御するために用いられる。
【００１９】
当該技術的手段において、照明が不十分な暗い環境でのユーザのショッピングニーズを満たすために、ＬＥＤ（Ｌｉｇｈｔ  Ｅｍｉｔｔｉｎｇ  Ｄｉｏｄｅ、発光ダイオード）照明ランプなどの照明装置をスマート自動販売機に配置することができ、具体的には、負荷制御モジュールが中央処理装置の対応するライトオン又はライトオフのコマンドを受信したときに、該照明装置は対応してオン又はオフになる。
【００２０】
さらに、上記技術的手段において、スマート自動販売機の照明装置は、スマート自動販売機が照明の不十分な暗い環境にあるときは常に照明の動作状態にあるか、又はスマート自動販売機のドアが開いているときに照明の動作状態になり、ドアが筐体にロックされたときに照明を停止する。
【００２１】
上記いずれかの技術的手段において、好ましくは、スマート自動販売機は、筐体内に設けられ、負荷制御モジュールに接続される冷却システムをさらに含み、負荷制御モジュールは冷却システムの開閉状態を制御するために用いられる。
【００２２】
当該技術的手段において、スマート自動販売機の筐体に陳列されている販売待ち商品の品質と鮮度保持の要求を満たすために、スマート自動販売機に冷却システムを設けることができ、それにより筐体内の環境温度を適切に低下させ、具体的には、負荷制御モジュールが中央処理装置の対応する起動又は停止するコマンドを受信したときに、該冷却システムは対応して冷却を起動又は停止する。
【００２３】
上記いずれかの技術的手段において、好ましくは、商品情報タグはＲＦＩＤタグを含み、タグスキャナはＲＦＩＤスキャナである。
【００２４】
当該技術的手段において、対応するタグスキャナと商品情報タグをそれぞれＲＦＩＤスキャナとＲＦＩＤタグとして設定し、無線周波数識別技術に基づいて無線信号により特定のターゲットを識別し、関連データを読み書き、タグスキャナと商品情報タグとの間の機械的又は光学的な接触を確立する必要がなく、タグスキャナによって走査された筐体内に残している販売待ち商品の包括性を確保し、生成された在庫情報の高い精度を保証する。
【００２５】
上記いずれかの技術的手段において、好ましくは、識別情報タグはＱＲコード（登録商標）又はＮＦＣを含む。
【００２６】
当該技術的手段において、ユーザの移動端末機器がニアフィールドの走査識別を行うように、ドアに設けられたスマート自動販売機の識別情報を含む識別情報タグをＱＲコード又はＮＦＣ（Ｎｅａｒ  ｆｉｅｌｄ  Ｃｏｍｍｏｔｉｏｎ、ニアフィールド通信）の形式で表示してもよく、無論、ＲＦＩＤタグ、光学タグなどの移動端末機器で識別可能なタグ形態であってもよい。
【００２７】
上記いずれかの技術的手段において、好ましくは、シールリングの材料は導電性ゴムであり、係着、接着又はネジ止めによってドアフレーム及び／又は筐体フレームに取り付けられる。
【００２８】
当該技術的手段において、シールリングは具体的には導電性ゴムを採用して製造することができ、導電性ゴムはシリコーンゴム内にガラス銀めっき、アルミニウム銀めっき、銀などの導電性粒子を均一に分散させるため、圧力によって導電性粒子を接触させ、優れた導電性を実現し、シール及び電磁シールドの役割を果たすことができ、様々な方式で該導電性ゴムをドアフレーム及び／又は筐体フレームに取り付けることができる。
【００２９】
上記いずれかの技術的手段において、好ましくは、シールリングの材料は金属編組パイプであり、金属編組パイプには柔軟なプラスチックパイプが挿入され、金属編組パイプは接着又はネジ止めによってドアフレーム及び／又は筐体フレームに取り付けられる。
【００３０】
当該技術的手段において、シールリングは柔軟なプラスチックパイプを金属編組パイプに挿入してシール及び電磁シールドの役割を果たすことができ、様々な方式で該金属編組パイプをドアフレーム及び／又は筐体フレームに取り付けることができる。
【００３１】
本発明の第２の態様で提供されるスマート自動販売機の制御方法は、上記第１の態様の技術的手段のいずれか１つのスマート自動販売機に用いられ、該制御方法は、通信モジュールがサーバーからのドアオープンコマンドを受信すると、中央処理装置によってスマート自動販売機のドアを閉じた状態から開いた状態にするように制御することと、ドアが開いた状態から再び閉じた状態になると、筐体の商品棚に残している全ての販売待ち商品の商品情報タグをタグスキャナで走査して筐体の現在の在庫情報を生成することと、中央処理装置によって現在の在庫情報をドアが開く前の履歴在庫情報と比較し、販売済み商品を特定することと、通信モジュールによって販売済み商品の商品情報をサーバーに送信し、それによりサーバーは販売済み商品の商品情報に基づいて対応する課金情報を生成し、且つ課金情報に基づいて移動端末機器と課金決済を行うことと、を含む。
【００３２】
当該技術的手段において、ユーザがスマート自動販売機の筐体における販売待ち商品を購入する必要がある場合、具体的には、ユーザが購入しようとする販売待ち商品を取り出すように、通信モジュールがサーバーから送信されたドアオープンコマンドを受信すると中央処理装置の制御によってスマート自動販売機のドアが開き、ユーザが商品を取り出してドアを閉めた後、主制御システムのタグスキャナは商品棚に現在残している全ての販売待ち商品に対応する商品情報タグを走査して該スマート自動販売機の現在の在庫情報を統計し、該スマート自動販売機の筐体のハウジング、筐体フレーム、ドアのドアフレーム及び透明窓は電磁シールド機能を有するように設けられ、ドアフレームと筐体フレームの間に電磁シールド機能を同様に有するシールリングが設けられるため、ドアを閉めるとスマート自動販売機内に電磁漏れギャップのない電磁シールドスペースを形成し、ドアと筐体とで構成される密閉空間の無線周波数信号が外部に漏れ、商品が誤って走査されることが発生しないように保証し、且つ筐体の内壁は電磁シールド機能のない非金属材料であるため、商品の決済に影響を与えず、優れた信号シールド効果、商品決済の低いエラー率、高い安全率の効果を達成する。このように、スマート自動販売機に設けられた１つのタグスキャナによってその中の販売待ち商品の在庫を正確に取得することができ、且つ該スマート自動販売機によってユーザはそのドアを開ける場合に要求を満たす商品を選択することができ、伝動機構を介してユーザが選択した商品を該機器から出力する必要がなく、それに応じて伝動機構を介して正確に出力するために販売待ち商品を商品棚の特定の位置に固定する必要がなく、スマート自動販売機の収納スペースを大幅に拡大し、且つ機器の生産コストを低減させ、ユーザの購入操作を容易にし、簡単で便利であり、ユーザ体験を効果的に向上させ、ユーザの生活に利便性を提供する。
【００３３】
さらに、スマート自動販売機の中央処理装置はユーザが販売待ち商品を取り出した後に残している現在の在庫情報を履歴在庫情報と比較してユーザが取り出した販売済み商品（即ち、筐体内で今回送り出された商品）を特定し、通信モジュールによって販売済み商品に対応する商品情報タグにおける商品情報（例えば、数量、単価）をサーバーに送信し、さらに該販売済み商品の課金操作は具体的には、生成された課金情報に基づいてサーバーがユーザの移動端末機器と課金決済を行い、このようにユーザが購入しようとする商品を取り出した後に支払いを行い、従来の自動販売機における伝動機構の故障によりユーザが支払った後に商品を正常に入手できないという事態を効果的に回避することができ、ユーザの使用体験をさらに向上させる。
【００３４】
上記技術的手段において、好ましくは、ドアオープンコマンドは、サーバーがユーザの識別情報に誤りがなく、ユーザの前回の課金決済が終了したことを確認し及び移動端末機器がドアの識別情報タグを走査して取得したスマート自動販売機の識別情報に誤りがないことを確認した場合に生成したものであり、ユーザの識別情報は、ＷｅＣｈａｔ（登録商標）アカウント情報及び／又はＡｌｉｐａｙ（登録商標）アカウント情報を含む。
【００３５】
当該技術的手段において、スマート自動販売機がドアオープンコマンドに従ってドアを開ける前に、ユーザはまず移動端末機器によってスマート自動販売機のドアに設定された識別情報タグを走査して該スマート自動販売機の識別情報を取得し、また有効性を確認するために該識別情報を移動端末機器及びスマート自動販売機のそれぞれに関連付けられたサーバーに送信し、サーバーは、該識別情報に誤りがなく、ユーザの識別情報に誤りがなく、ユーザの前回の課金決済が終了したことを確認すると、対応するドアオープンコマンドを生成し、それによって料金収受の正確性を確保し、ユーザにタイムリーに料金を決済するように促し、販売者の損失を削減する。
【００３６】
上記いずれかの技術的手段において、好ましくは、スマート自動販売機の制御方法は、筐体の現在の在庫情報を生成した後に、現在の在庫情報に含まれる商品の量が予め設定された数の閾値より低いか否かを検出することと、現在の在庫情報に含まれる商品の量が予め設定された数の閾値より低ければ、スマート自動販売機に販売待ち商品を補充するように提示することと、をさらに含む。
【００３７】
当該技術的手段において、販売終了毎に統計して生成された現在の在庫情報に含まれる商品の量と予め設定された数の閾値との大小比較結果に基づいて、販売者に商品補充を提示する必要があるか否かを判定し、具体的には該商品の量が該予め設定された数の閾値よりも小さい場合に、スマート自動販売機の筐体内の十分な商品供給を確保するために、スマート自動販売機に販売待ち商品を補充するように提示する。
【００３８】
ここで、販売待ち商品の在庫統計を行うことができるように、予め設定された数の閾値は具体的にはスマート自動販売機の筐体の体積容量に基づいて設定することができる。
【００３９】
上記いずれかの技術的手段において、好ましくは、スマート自動販売機の制御方法は、筐体の現在の在庫情報を生成した後に、現在の在庫情報に含まれる商品の量と商品の消費率とに基づいて、スマート自動販売機に販売待ち商品を補充する補充時間を提示するステップをさらに含む。
【００４０】
当該技術的手段において、販売終了毎に統計して生成された現在の在庫情報に含まれる商品の量と商品の消費率とに基づいてスマート自動販売機に販売待ち商品を補充する補充時間を提示し、スマート自動販売機の筐体の十分な商品供給を確保するために、スマート自動販売機における販売待ち商品が品切れになる前にタイムリーに補充することを確保する。
【００４１】
本発明の第３の態様で提供されるスマート自動販売機の制御方法は、上記第１の態様の技術的手段のいずれか１つのスマート自動販売機に用いられ、制御方法は、通信モジュールがサーバーからのドアオープンコマンドを受信すると、中央処理装置によってスマート自動販売機のドアを閉じた状態から開いた状態にするように制御するステップと、ドアが開いた状態から再び閉じた状態になると、筐体の商品棚に残している全ての販売待ち商品の商品情報タグをタグスキャナで走査して筐体の現在の在庫情報を生成するステップと、通信モジュールによって現在の在庫情報をサーバーに送信し、それによりサーバーが現在の在庫情報をドアが開く前の履歴在庫情報と比較して販売済み商品を特定し、販売済み商品の商品情報に基づいて対応する課金情報を生成し、且つ課金情報に基づいて移動端末機器と課金決済を行うステップと、を含む。
【００４２】
当該技術的手段において、ユーザがスマート自動販売機の筐体における販売待ち商品を購入する必要がある場合、具体的には、ユーザが購入しようとする販売待ち商品を取り出すように、通信モジュールがサーバーから送信されたドアオープンコマンドを受信すると中央処理装置の制御によってスマート自動販売機のドアが開き、ユーザが商品を取り出してドアを閉めた後、主制御システムのタグスキャナは商品棚に現在残している全ての販売待ち商品に対応する商品情報タグを走査して該スマート自動販売機の現在の在庫情報を統計し、該スマート自動販売機の筐体のハウジング、筐体フレーム、ドアのドアフレーム及び透明窓は電磁シールド機能を有するように設けられ、ドアフレームと筐体フレームの間に電磁シールド機能を同様に有するシールリングが設けられるため、ドアを閉めるとスマート自動販売機内に電磁漏れギャップのない電磁シールドスペースを形成し、ドアと筐体とで構成される密閉空間の無線周波数信号が外部に漏れ、商品が誤って走査されることが発生しないように保証し、且つ筐体の内壁は電磁シールド機能のない非金属材料であるため、商品の決済に影響を与えず、優れた信号シールド効果、商品決済の低いエラー率、高い安全率の効果を達成する。このように、スマート自動販売機に設けられた１つのタグスキャナによってその中の販売待ち商品の在庫を正確に取得することができ、且つ該スマート自動販売機によってユーザはそのドアを開ける場合に要求を満たす商品を選択することができ、伝動機構を介してユーザが選択した商品を該機器から出力する必要がなく、それに応じて伝動機構を介して正確に出力するために販売待ち商品を商品棚の特定の位置に固定する必要がなく、スマート自動販売機の収納スペースを大幅に拡大し、且つ機器の生産コストを低減させ、ユーザの購入操作を容易にし、簡単で便利であり、ユーザ体験を効果的に向上させ、ユーザの生活に利便性を提供する。
【００４３】
さらに、スマート自動販売機の通信モジュールによってスマート自動販売機の現在の在庫情報をサーバーに直接送信して販売済み商品を特定することもでき、つまり、サーバーは、ユーザが販売待ち商品を取り出した後に残している現在の在庫情報を履歴在庫情報と比較してユーザが取り出した販売済み商品を特定し、さらに販売済み商品に対応する商品情報タグにおける商品情報に基づいて、該販売済み商品の課金情報を生成し、さらに該販売済み商品の課金操作は具体的には生成された課金情報に基づいてサーバーがユーザの移動端末機器と課金決済を行い、このようにユーザが購入しようとする商品を取り出した後に支払いを行い、従来の自動販売機における伝動機構の故障によりユーザが支払った後に商品を正常に入手できないという事態を効果的に回避することができ、ユーザの使用体験をさらに向上させる。
【００４４】
上記技術的手段において、好ましくは、ドアオープンコマンドはサーバーがユーザの識別情報に誤りがなく、ユーザの前回の課金決済が終了したことを確認し及び移動端末機器がドアの識別情報タグを走査して取得したスマート自動販売機の識別情報に誤りがないことを確認した場合に生成したものであり、ユーザの識別情報は、ＷｅＣｈａｔ（登録商標）アカウント情報及び／又はＡｌｉｐａｙ（登録商標）アカウント情報を含む。
【００４５】
当該技術的手段において、スマート自動販売機がドアオープンコマンドに従ってドアを開ける前に、ユーザはまず移動端末機器によってスマート自動販売機のドアに設定された識別情報タグを走査して該スマート自動販売機の識別情報を取得し、また有効性を確認するために該識別情報を移動端末機器及びスマート自動販売機のそれぞれに関連付けられたサーバーに送信し、サーバーは、該識別情報に誤りがなく、ユーザの識別情報に誤りがなく、ユーザの前回の課金決済が終了したことを確認すると、対応するドアオープンコマンドを生成し、それによって料金収受の正確性を確保し、ユーザにタイムリーに料金を決済するように促し、販売者の損失を削減する。
【００４６】
上記いずれかの技術的手段において、好ましくは、スマート自動販売機の制御方法は、筐体の現在の在庫情報を生成した後、現在の在庫情報に含まれる商品の量が予め設定された数の閾値より低いか否かを検出するステップと、現在の在庫情報に含まれる商品の量が予め設定された数の閾値より低ければ、スマート自動販売機に販売待ち商品を補充するように提示するステップと、をさらに含む。
【００４７】
当該技術的手段において、販売終了毎に統計して生成された現在の在庫情報に含まれる商品の量と予め設定された数の閾値との大小比較結果に基づいて、販売者に商品補充を提示する必要があるか否かを判定し、具体的には該商品の量が該予め設定された数の閾値よりも小さい場合に、スマート自動販売機の筐体内の十分な商品供給を確保するために、スマート自動販売機に販売待ち商品を補充するように提示する。
【００４８】
ここで、販売待ち商品の在庫統計を行うことができるように、予め設定された数の閾値は具体的にはスマート自動販売機の筐体の体積容量に基づいて設定することができる。
【００４９】
上記いずれかの技術的手段において、好ましくは、スマート自動販売機の制御方法は、筐体の現在の在庫情報を生成した後、現在の在庫情報に含まれる商品の量と商品の消費率とに基づいて、スマート自動販売機に販売待ち商品を補充する補充時間を提示するステップをさらに含む。
【００５０】
当該技術的手段において、販売終了毎に統計して生成された現在の在庫情報に含まれる商品の量と商品の消費率とに基づいてスマート自動販売機に販売待ち商品を補充する補充時間を提示し、スマート自動販売機の筐体の十分な商品供給を確保するために、スマート自動販売機における販売待ち商品が品切れになる前にタイムリーに補充することを確保する。
【００５１】
本発明の第４の態様で提供されるコンピュータ可読記憶媒体には、コンピュータプログラムが記憶され、コンピュータプログラムがプロセッサによって実行されるときに、上記第２及び第３の態様の技術的手段のいずれか１つに記載のスマート自動販売機の制御方法のステップを実現する。
【発明の効果】
【００５２】
本発明の付加的な態様及び利点は、以下の記載で部分的に説明され、一部は、以下の説明から明らかになるか、又は本発明の実行によって理解できる。
【００５３】
本発明の上記及び／又は追加の態様及び利点は、以下の図面と結び付ける実施例への説明から明らかで、理解しやすくなる。
【図面の簡単な説明】
【００５４】
【図１】本発明の第１の実施例のスマート自動販売機を示す概略ブロック図である。
【図２】本発明の第２の実施例のスマート自動販売機を示す概略図である。
【図３】図２に示されるスマート自動販売機の主制御システムを示す概略図である。
【図４】本発明の第１の実施例のスマート自動販売機の制御方法を示すフローチャートである。
【図５】本発明の第２の実施例のスマート自動販売機の制御方法を示すフローチャートである。
【発明を実施するための形態】
【００５５】
本発明の上記目的、特徴及び利点をより明確に理解できるように、以下、図面及び具体的な実施形態を参照しながら本発明についてさらに詳しく説明する。なお、矛盾しない限り、本願の実施例及び実施例中の特徴を互いに組み合わせることができる。
【００５６】
本発明を十分に理解するように、以下の説明で多くの具体的な詳細を説明するが、本発明はここで説明する形態と異なる形態で実施することもできるので、本発明の保護範囲は以下で開示する具体的な実施例に限定されない。
【００５７】
以下に図１から図３を参照して本発明の実施例のスマート自動販売機について具体的に説明する。
【００５８】
図１に示すように、本発明の第１の実施例に係るスマート自動販売機は、筐体１０、ドア２０、筐体１０に設けられた主制御システム３０、及び電磁シールド機能を有するシールリング７０を含み、そして、主制御システム３０は、中央処理装置３０２、タグスキャナ３０４、通信モジュール３０６、及びメモリ３１４を含み、タグスキャナ３０４及び通信モジュール３０６はいずれも中央処理装置３０２に接続される。
【００５９】
ここで、筐体１０は、電磁シールド機能を有するハウジング１０４及び筐体フレーム１０６を有し、且つ筐体１０の内壁１０８は電磁シールド機能を有しない非金属材料であり、筐体１０内に販売待ち商品を陳列するための少なくとも１層の商品棚１０２が設けられ、販売待ち商品には対応する商品情報電子タグが付いており、ドア２０の周囲はドアフレーム２０４であり、中央は透明窓２０６であり、ドアフレーム２０４の一側の中央位置にハンドル２０８が設けられ、ドアフレーム２０４と透明窓２０６はいずれも電磁シールド機能を有し且つ両者の間は全体として電磁漏れギャップなしで接続され、ドア２０は筐体１０に取り付けられ、ドアフレーム２０４と筐体フレーム１０６との間に電磁シールド機能を有するシールリング７０が設けられ、ドア２０が閉じた状態にあるときに、筐体１０、ドア２０及びシールリング７０は全体として電磁漏れギャップなしで構成し、且つドア２０にスマート自動販売機の識別情報を取得するように移動端末機器が走査するために用いられる識別情報タグ２０２が設けられ、識別情報は暗号化情報であり、通信モジュール３０６は中央処理装置３０２とサーバーとの通信接続を確立するために用いられ、中央処理装置３０２は、サーバーが識別情報に誤りがないことを確認して送信したドアオープンコマンドを受信すると、ドア２０を閉じた状態から開いた状態にするように制御するために用いられ、タグスキャナ３０４は、ドア２０が開いた状態から閉じた状態になった後に、筐体１０内の全ての商品情報タグを走査し、スマート自動販売機の現在の在庫情報を確認し、現在の在庫情報がメモリ３１４に記憶される。
【００６０】
当該実施例において、スマート自動販売機のドア２０及び筐体１０は密閉空間を構成し、それぞれの商品情報タグが付いている販売待ち商品は筐体１０の少なくとも１層の商品棚１０２に陳列され、一般的にスマート自動販売機のドア２０は閉じた状態にあり、ドア２０の筐体１０の内部空間から離れた面には該スマート自動販売機の識別情報タグ２０２が設けられ、具体的に使用するときに、ユーザは移動端末機器が該識別情報タグ２０２を走査して該スマート自動販売機の識別情報を取得して関連付けて販売待ち商品を購入し、具体的には、取得した識別情報を該スマート自動販売機及び移動端末機器のそれぞれに関連付けられたサーバーに送信し、サーバーは該識別情報に誤りがないことを確認した場合に、該スマート端末機器の主制御システム３０の通信モジュール３０６によって該主制御システム３０の中央処理装置３０２にドアオープンコマンドを送信し、さらに中央処理装置３０２はユーザが購入しようとする販売待ち商品を取り出すように該スマート自動販売機のドア２０を開くように制御し、ユーザが商品を取り出してドア２０を閉めた後、主制御システム３０のタグスキャナ３０４は商品棚１０２に現在残している全ての販売待ち商品に対応する商品情報タグを走査して該スマート自動販売機の現在の在庫情報を統計し、その都度取得した現在の在庫情報をメモリ３１４に記憶する。このように、スマート自動販売機に設けられた１つのタグスキャナ３０４によってその中の販売待ち商品の在庫を取得することができ、且つ該スマート自動販売機によってユーザはそのドア２０を開く場合に要求を満たす商品を選択することができ、伝動機構を介してユーザが選択した商品を該機器から出力する必要がなく、それに応じて伝動機構を介して正確に出力するために販売待ち商品を商品棚１０２の特定の位置に固定する必要がなく、スマート自動販売機の収納スペースを大幅に拡大し、且つ機器の生産コストを低減させ、ユーザの購入操作を容易にし、簡単で便利であり、ユーザ体験を効果的に向上させ、ユーザの生活に大きな利便性を提供し、それとともに、ドア２０と筐体１０とで構成される密閉空間の無線周波数信号が外部に漏れ、商品が誤って走査されることが発生しないように保証するために、ドア２０を閉めるとスマート自動販売機内に電磁漏れギャップのない電磁シールドスペースを形成するように、筐体１０のハウジング１０４、筐体フレーム１０６、ドア２０のドアフレーム２０４及び透明窓２０６は電磁シールド機能を有するように設けられ、ドアフレーム２０４と筐体フレーム１０６の間に電磁シールド機能を同様に有するシールリング７０が設けられてもよく、筐体１０の内壁１０８は電磁シールド機能のない非金属材料であるため、商品の決済に影響を与えないため、スマート自動販売機は優れた信号シールド効果を有し、商品決済のエラー率が低く、機器の安全率を向上させる。
【００６１】
具体的には、筐体１０のハウジング１０４、筐体フレーム１０６及びドア２０のドアフレーム２０４と透明窓２０６を製造するとき、カーボン粉末、グラファイトニッケルめっき、アルミニウム銀めっき、銅銀めっき又はガラス銀めっきのうちの少なくとも１種の電磁シールド材料をドープし、透明窓２０６をドア２０の中央に設けることによりユーザはスマート自動販売機の商品棚１０２に陳列されている販売待ち商品の種類を識別することができ、及び暗号化情報であるスマート自動販売機の識別情報の復号は移動端末機器又はサーバーで行われる。
【００６２】
ここで、販売待ち商品に付いているそれと１対１に対応する商品情報タグにはその名称、単価、分類、有効期限などの情報を含んでもよく、スマート自動販売機の識別情報タグ２０２に含まれる識別情報は該スマート自動販売機に対応する機器番号などの一意に識別可能な情報であってもよい。ドアオープンコマンドはサーバーがスマート自動販売機の識別情報に誤りがなく、ユーザの識別情報に誤りがなく、ユーザの前回の課金決済が終了したことを確認した場合に生成したものであり、ユーザの識別情報は、ＷｅＣｈａｔ（登録商標）アカウント情報及び／又はＡｌｉｐａｙ（登録商標）アカウント情報を含み、さらに、メモリ３１４に記憶された現在の在庫情報は上書き交換式の記憶方式を採用し、記憶スペースを節約する。
【００６３】
さらに、上記実施例におけるシールリング７０は具体的には少なくとも以下の２種類を含む。
【００６４】
［具体的な実施例１］
当該具体的な実施例において、シールリング７０の材料は導電性ゴムであり、係着、接着又はネジ止めによってドアフレーム２０４及び／又は筐体フレーム１０６に取り付けられる。
【００６５】
理解できるように、シールリング７０は具体的には導電性ゴムを採用して製造することができ、導電性ゴムはシリコーンゴム内にガラス銀めっき、アルミニウム銀めっき、銀などの導電性粒子を均一に分散させるため、圧力によって導電性粒子を接触させ、優れた導電性を実現し、シール及び電磁シールドの役割を果たすことができ、様々な方式で該導電性ゴムをドアフレーム２０４及び／又は筐体フレーム１０６に取り付けることができる。
【００６６】
［具体的な実施例２］
当該具体的な実施例において、シールリング７０の材料は金属編組パイプであり、金属編組パイプに柔軟なプラスチックパイプが挿入され、金属編組パイプは接着又はネジ止めによってドアフレーム２０４及び／又は筐体フレーム１０６に取り付けられる。
【００６７】
理解できるように、シールリング７０は柔軟なプラスチックパイプを金属編組パイプに挿入してシール及び電磁シールドの役割を果たすことができ、及び様々な方式で該金属編組パイプをドアフレーム２０４及び／又は筐体フレーム１０６に取り付けることができる。
【００６８】
無論、本発明の他の実施例において、シールリング７０はシール及び電磁シールドを実現できる他の材料を採用してもよい。
【００６９】
さらに、上記実施例において、具体的には以下の２つの方式のいずれかにより、販売済み商品を特定して課金決済を行うことができる。
【００７０】
［具体的な実施例１］
当該具体的な実施例において、中央処理装置３０２はさらに現在の在庫情報を記憶された履歴在庫情報と比較してドア２０が閉じた状態から開いた状態になった後にユーザが取得した販売済み商品を特定するために用いられ、通信モジュール３０６は販売済み商品の商品情報をサーバーに送信し、それによりサーバーが販売済み商品の商品情報に基づいて対応する課金情報を生成し、且つ課金情報に基づいて移動端末機器と課金決済を行うために用いられる。
【００７１】
理解できるように、スマート自動販売機の中央処理装置３０２によりユーザが販売待ち商品を取り出した後に残している現在の在庫情報を履歴在庫情報と比較してユーザが取り出した販売済み商品（即ち、筐体１０内で今回送り出された商品）を特定し、通信モジュール３０６によって販売済み商品に対応する商品情報タグにおける商品情報（例えば、数量、単価）をサーバーに送信することにより、該販売済み商品の課金情報を生成することができ、さらに該販売済み商品の課金操作は具体的には生成された課金情報に基づいてサーバーがユーザの移動端末機器と課金決済を行い、このようにユーザが購入しようとする商品を取り出した後に支払いを行い、従来の自動販売機における伝動機構の故障によりユーザが支払った後に商品を正常に入手できないという事態を効果的に回避することができ、ユーザの使用体験をさらに向上させる。
【００７２】
［具体的な実施例２］
当該具体的な実施例において、通信モジュール３０６はさらに、現在の在庫情報をサーバーに送信し、それによりサーバーが現在の在庫情報をドア２０が開く前の履歴在庫情報と比較して販売済み商品を特定し、販売済み商品の商品情報に基づいて対応する課金情報を生成し、且つ課金情報に基づいて移動端末機器と課金決済を行うために用いられる。
【００７３】
理解できるように、通信モジュール３０６によってスマート自動販売機の現在の在庫情報をサーバーに直接送信して販売済み商品を特定することもでき、つまり、サーバーは、ユーザが販売待ち商品を取り出した後に残している現在の在庫情報を履歴在庫情報と比較してユーザが取り出した販売済み商品を特定し、さらに販売済み商品に対応する商品情報タグにおける商品情報に基づいて、該販売済み商品の課金情報を生成し、該販売済み商品の課金操作は具体的には生成された課金情報に基づいてサーバーがユーザの移動端末機器と課金決済を行い、このようにユーザが購入しようとする商品を取り出した後に支払いを行い、従来の自動販売機における伝動機構の故障によりユーザが支払った後に商品を正常に入手できないということを効果的に回避することができ、ユーザの使用体験をさらに向上させる。
【００７４】
さらに、上記２つの具体的な実施例において、商品の支払い効率を向上させるために、移動端末機器とサーバーとの間に安全で便利なサインレス支払いを開通させ、取引が簡単で使用しやすい。
【００７５】
さらに、図１に示すように、上記実施例における主制御システム３０は電源モジュール３０８、負荷制御モジュール３１０及び検出モジュール３１２をさらに含む。
【００７６】
ここで、電源モジュール３０８は、中央処理装置３０２、負荷制御モジュール３１０、通信モジュール３０６及びタグスキャナ３０４に動作電源を供給するために用いられ、負荷制御モジュール３１０は中央処理装置３０２に接続され、検出モジュール３１２は中央処理装置３０２に接続され、筐体１０内の動作環境パラメータ及びドア２０の開閉状態を検出するために用いられる。
【００７７】
当該実施例において、スマート自動販売機の主制御システム３０は中央処理装置３０２の関連制御コマンドに基づいてスマート自動販売機の関連部材の開閉状態を制御する負荷制御モジュール３１０と、スマート自動販売機の筐体１０内の動作環境パラメータ及びドア２０の開閉状態を検出する検出モジュール３１２と、をさらに含み、それによって筐体１０内の環境状態を適時に調整しその中の販売待ち商品に適切な貯蔵環境を提供し、商品の品質を保証し、且つドア２０の開閉状態の変化状況に応じてスマート自動販売機における現在の在庫情報を適時に統計し、さらに該主制御システム３０は、中央処理装置３０２、通信モジュール３０６、負荷制御モジュール３１０及びタグスキャナ３０４に動作電源を供給する電源モジュール３０８を含み、具体的には、該電源モジュール３０８は商用電源から電源を取得することができる。
【００７８】
さらに、図１に示すように、上記実施例におけるスマート自動販売機はロック機構４０をさらに含み、ロック機構４０はハンドル２０８の中央位置に設けられ、負荷制御モジュール３１０に接続され、負荷制御モジュール３１０はロック機構４０の開閉状態を制御するために用いられ、且つロック機構４０はロック本体部４０２とロックキャッチ４０４を含み、ロック本体部４０２が筐体１０に取り付けられ、ロックキャッチ４０４がドア２０に取り付けられる。
【００７９】
当該実施例において、スマート自動販売機の筐体１０及びドア２０はロック機構４０のロック本体部４０２とロックキャッチ４０４の係合によって開閉を実現し、具体的には該ロック機構４０は負荷制御モジュール３１０が中央処理装置３０２の対応するロック解除又はロックのコマンドを受信したときに対応して開閉し、それによりスマート自動販売機の筐体１０内に陳列されている販売待ち商品の安全性を保証し、販売者に不要な損失を与えることを回避し、ここで、ロック機構４０のロック本体部４０２とロックキャッチ４０４をそれぞれ筐体１０及びドア２０に設けることが好ましい。
【００８０】
さらに、図１に示すように、上記実施例におけるスマート自動販売機は、筐体１０内に設けられ、負荷制御モジュール３１０に接続された照明装置５０をさらに含み、負荷制御モジュール３１０は照明装置５０の開閉状態を制御するために用いられる。
【００８１】
当該実施例において、照明が不十分な暗い環境でのユーザのショッピングニーズを満たすために、ＬＥＤ照明ランプなどの照明装置５０をスマート自動販売機に配置することができ、具体的には、負荷制御モジュール３１０が中央処理装置３０２の対応するライトオン又はライトオフのコマンドを受信したときに、該照明装置５０は対応してオン又はオフになる。
【００８２】
理解できるように、スマート自動販売機の照明装置５０は、スマート自動販売機が照明の不十分な暗い環境にあるときは常に照明の動作状態にあるか、又はスマート自動販売機のドア２０が開いているときに照明の動作状態になり、ドア２０が筐体１０にロックされたときに照明を停止する。
【００８３】
さらに、図１に示すように、上記実施例におけるスマート自動販売機は筐体１０内に設けられ、負荷制御モジュール３１０に接続された冷却システム６０をさらに含み、負荷制御モジュール３１０は冷却システム６０の開閉状態を制御するために用いられる。
【００８４】
当該実施例において、スマート自動販売機の筐体１０に陳列されている販売待ち商品の品質と鮮度保持の要求を満たすために、スマート自動販売機に冷却システム６０を設けることができ、それにより筐体１０内の環境温度を適切に低下させ、具体的には、負荷制御モジュール３１０が中央処理装置３０２の対応する起動又は停止するコマンドを受信したときに、該冷却システム６０は対応して冷却を起動又は停止する。
【００８５】
具体的には、検出モジュール３１２はセンサであってもよく、例えばスマート自動販売機の筐体１０内の温度を検出する温度センサ、筐体１０内の湿度を検出する湿度センサ、ドア２０が閉じたか否かを検出する圧力センサなどを含む。
【００８６】
さらに、上記実施例において、商品情報タグはＲＦＩＤタグを含み、タグスキャナ３０４はＲＦＩＤスキャナである。
【００８７】
当該実施例において、対応するタグスキャナ３０４と商品情報タグをそれぞれＲＦＩＤスキャナとＲＦＩＤタグとして設定し、無線周波数識別技術に基づいて無線信号により特定のターゲットを識別し、関連データを読み書き、タグスキャナ３０４と商品情報タグとの間の機械的又は光学的な接触を確立する必要がなく、タグスキャナ３０４によって走査された筐体１０内に残している販売待ち商品の包括性を確保し、生成された在庫情報の高い精度を保証する。
【００８８】
さらに、上記実施例において、識別情報タグ２０２はＱＲコード（登録商標）又はＮＦＣを含む。
【００８９】
当該実施例において、ユーザの移動端末機器がニアフィールドの走査識別を行うように、ドア２０に設けられたスマート自動販売機の識別情報を含む識別情報タグ２０２をＱＲコード又はＮＦＣの形式で表示してもよく、もちろん、ＲＦＩＤタグ、光学タグなどの移動端末機器で識別可能なタグ形態であってもよい。
【００９０】
図２に示すように、本発明の第２の実施例に係るスマート自動販売機は具体的には、
筐体であって、少なくとも１層の商品棚が設けられ、図２に示すように３つの商品棚を含み、荷物（即ち販売待ち商品）を陳列することに適し、全ての荷物にＲＦＩＤタグ（即ち商品情報電子タグ）が付いており、各ＲＦＩＤタグに対応する荷物の名称、仕様、単価などの関連情報が含まれる筐体と、
筐体に接続されるドアであって、ドアにスマート自動販売機の識別情報を含むＱＲコードタグ（図１に示す識別情報タグに相当する）が固定され、さらに該ドアは透明であり、ユーザが筐体内の商品棚に陳列されている荷物を見ることができるようにするドアと、
さらに、筐体の筐体フレーム及びドアはいずれも電磁シールド機能を有し、筐体の内壁の構成材料は電磁シールド機能を備えず、ドアが閉じるときに筐体と密閉された電磁シールドスペースを形成し、好ましくは、ドアフレームと筐体フレームとの間にシールリングを設けることができ、商品が誤って走査されることをさらに防止し、
ロックであって（図１に示すロック機構に相当する）、ロック本体部が筐体に取り付けられ、ロックキャッチがドアに取り付けられているロックと、
筐体内に設けられた照明ランプ（図１に示す照明装置に相当する）及び冷却システムと、
筐体内に取り付けられる主制御システムであって、その具体的な構成は図３に示すとおりであり、該主制御システムは、ＣＰＵ（Ｃｅｎｔｒａｌ  Ｐｒｏｃｅｓｓｉｎｇ  Ｕｎｉｔ、中央処理装置）、ＣＰＵに接続された通信モジュール、センサ及びスイッチ部材（図１に示す検出モジュールに相当する）、ＲＦＩＤリーダー（図１に示すタグスキャナに相当する）、負荷制御モジュール、及び、ＣＰＵ、通信モジュール、ＲＦＩＤリーダー、負荷制御モジュールに動作電源を供給する電源モジュールを含む主制御システムと、を含む。
【００９１】
ここで、負荷制御モジュールはロックの開閉状態、照明ランプの開閉状態及び冷却システムの電気部材の動作状態を制御し、通信モジュールは外付けのアンテナを有し、スマート自動販売機とサーバーとの接続及び通信を保持するために用いられ、ＲＦＩＤリーダーは少なくとも１つのアンテナを有し、筐体の商品棚上の荷物のＲＦＩＤタグ情報を読み取ることを担当し、スイッチ部材は、ロックが開いた状態から閉じた状態に変化したことをスイッチ部材が感知したときに、ＣＰＵがＲＦＩＤリーダーに荷物のＲＦＩＤタグ情報を読み取るように通知するために、ロックの開閉状態を感知するために使用される。
【００９２】
具体的に無人販売のスマート化アプリケーションを行う時、ユーザの移動端末機器によってスマート自動販売機上のＱＲコードタグを走査してその識別情報を取得し、サーバーが識別情報に誤りがないことを確認した後にロック解除のコマンドを主制御システムに送信し、主制御システムは、サーバーのロック解除のコマンドを受信すると、ロックを解除するように制御し、主制御システムは、ドア閉鎖信号を検出した後、ドアロックを閉じ、ＲＦＩＤリーダーに動作するよう通知し、機器内の全てのＲＦＩＤタグ情報を読み取って現在の在庫を判断し、該現在の在庫を前期の在庫と比較し、送り出された荷物を特定し、さらにサーバーのチェックアウトシステムに通知して決済を行う。
【００９３】
さらに、上記実施例のいずれかで説明したスマート自動販売機は、共有冷蔵庫などのスマート冷蔵庫であってもよい。
【００９４】
以下、図４及び図５を参照して上記スマート自動販売機に応用される制御方法について説明し、以下の２つの実施例のうちの１つに従って具体的に実施することができる。
【００９５】
［実施例１］
図４に示すように、本発明の第１の実施例に係るスマート自動販売機の制御方法は、上記実施例のいずれか１つに記載のスマート自動販売機に用いられ、該制御方法は具体的には、
通信モジュールがサーバーからのドアオープンコマンドを受信すると、中央処理装置によってスマート自動販売機のドアを閉じた状態から開いた状態にするように制御するステップＳ４０２と、
ドアが開いた状態から再び閉じた状態になると、筐体の商品棚に残している全ての販売待ち商品の商品情報タグをタグスキャナで走査して筐体の現在の在庫情報を生成するステップＳ４０４と、
中央処理装置によって現在の在庫情報をドアが開く前の履歴在庫情報と比較し、販売済み商品を特定するステップＳ４０６と、
通信モジュールによって販売済み商品の商品情報をサーバーに送信し、それによりサーバーが販売済み商品の商品情報に基づいて対応する課金情報を生成し、且つ課金情報に基づいて移動端末機器と課金決済を行うステップＳ４０８と、を含む。
【００９６】
当該実施例において、ユーザがスマート自動販売機の筐体における販売待ち商品を購入する必要がある場合、具体的には、ユーザが購入しようとする販売待ち商品を取り出すように、通信モジュールがサーバーから送信されたドアオープンコマンドを受信すると中央処理装置の制御によってスマート自動販売機のドアが開き、ユーザが商品を取り出してドアを閉めた後、主制御システムのタグスキャナは商品棚に現在残している全ての販売待ち商品に対応する商品情報タグを走査して該スマート自動販売機の現在の在庫情報を統計し、該スマート自動販売機の筐体のハウジング、筐体フレーム、ドアのドアフレーム及び透明窓は電磁シールド機能を有するように設けられ、ドアフレームと筐体フレームの間に電磁シールド機能を同様に有するシールリングが設けられるため、ドアを閉めるとスマート自動販売機内に電磁漏れギャップのない電磁シールドスペースを形成し、ドアと筐体とで構成される密閉空間の無線周波数信号が外部に漏れ、商品が誤って走査されることが発生しないように保証し、且つ筐体の内壁は電磁シールド機能のない非金属材料であるため、商品の決済に影響を与えず、優れた信号シールド効果、商品決済の低いエラー率、高い安全率の効果を達成する。このように、スマート自動販売機に設けられた１つのタグスキャナによってその中の販売待ち商品の在庫を正確に取得することができ、且つ該スマート自動販売機によってユーザはそのドアを開ける場合に要求を満たす商品を選択することができ、伝動機構を介してユーザが選択した商品を該機器から出力する必要がなく、それに応じて伝動機構を介して正確に出力するために販売待ち商品を商品棚の特定の位置に固定する必要がなく、スマート自動販売機の収納スペースを大幅に拡大し、且つ機器の生産コストを低減させ、ユーザの購入操作を容易にし、簡単で便利であり、ユーザ体験を効果的に向上させ、ユーザの生活に利便性を提供する。
【００９７】
さらに、スマート自動販売機の中央処理装置によりユーザが販売待ち商品を取り出した後に残している現在の在庫情報を履歴在庫情報と比較してユーザが取り出した販売済み商品（即ち、筐体内で今回送り出された商品）を特定し、通信モジュールによって販売済み商品に対応する商品情報タグにおける商品情報（例えば、数量、単価）をサーバーに送信し、さらに該販売済み商品の課金操作は具体的には生成された課金情報に基づいてサーバーがユーザの移動端末機器と課金決済を行い、このようにユーザが購入しようとする商品を取り出した後に支払いを行い、従来の自動販売機における伝動機構の故障によりユーザが支払った後に商品を正常に入手できないという事態を効果的に回避することができ、ユーザの使用体験をさらに向上させる。
【００９８】
さらに、上記実施例において、販売待ち商品に付いているそれと１対１に対応する商品情報タグにはその名称、単価、分類、有効期限などの情報を含んでもよく、スマート自動販売機の識別情報タグに含まれる識別情報は該スマート自動販売機に対応する機器番号などの一意に識別可能な情報であってもよく、ここで、商品情報タグはＲＦＩＤタグを含み、タグスキャナはＲＦＩＤスキャナであり、識別情報タグはＱＲコード又はＮＦＣを含む。
【００９９】
さらに、上記実施例において、ドアオープンコマンドはサーバーがユーザの識別情報に誤りがなく、ユーザの前回の課金決済が終了したことを確認し及び移動端末機器がドアの識別情報タグを走査して取得したスマート自動販売機の識別情報に誤りがないことを確認した場合に生成したものであり、ユーザの識別情報は、ＷｅＣｈａｔ（登録商標）アカウント情報及び／又はＡｌｉｐａｙ（登録商標）アカウント情報を含む。
【０１００】
当該実施例において、スマート自動販売機がドアオープンコマンドに従ってドアを開ける前に、ユーザはまず移動端末機器によってスマート自動販売機のドアに設定された識別情報タグを走査して該スマート自動販売機の識別情報を取得し、また有効性を確認するために該識別情報を移動端末機器及びスマート自動販売機のそれぞれに関連付けられたサーバーに送信し、サーバーは、該識別情報に誤りがなく、ユーザの識別情報に誤りがなく、ユーザの前回の課金決済が終了したことを確認すると、対応するドアオープンコマンドを生成し、それによって料金収受の正確性を確保し、ユーザにタイムリーに料金を決済するように促し、販売者の損失を削減し、ここで、スマート自動販売機の識別情報は暗号化情報であることが好ましく、さらに移動端末機器又はサーバーによって暗号化されたスマート自動販売機の識別情報を復号処理することができる。
【０１０１】
さらに、上記実施例において、商品の支払い効率を向上させるために、移動端末機器とサーバーとの間に安全で便利なサインレス支払いを開通させ、取引が簡単で使用しやすい。
【０１０２】
さらに、上記実施例において、スマート自動販売機の制御方法は、ステップＳ４０４において筐体の現在の在庫情報を生成した後、以下の２つの具体的な実施例に示される方法のステップをさらに含む。
【０１０３】
［具体的な実施例１］
当該具体的な実施例において、前記制御方法は、現在の在庫情報に含まれる商品の量が予め設定された数の閾値より低いか否かを検出するステップと、現在の在庫情報に含まれる商品の量が予め設定された数の閾値より低ければ、スマート自動販売機に販売待ち商品を補充するように提示するステップと、をさらに含む。
【０１０４】
当該実施例において、販売終了毎に統計して生成された現在の在庫情報に含まれる商品の量と予め設定された数の閾値との大小比較結果に基づいて、販売者に商品補充を提示する必要があるか否かを判定し、具体的には該商品の量が予め設定された数の閾値よりも小さい場合に、スマート自動販売機の筐体内の十分な商品供給を確保するために、スマート自動販売機に販売待ち商品を補充するように提示する。
【０１０５】
ここで、販売待ち商品の在庫統計を行うことができるように、予め設定された数の閾値は具体的にはスマート自動販売機の筐体の体積容量に基づいて設定することができる。
【０１０６】
［具体的な実施例２］
当該具体的な実施例において、前記制御方法は、現在の在庫情報に含まれる商品の量と商品の消費率とに基づいて、スマート自動販売機に販売待ち商品を補充する補充時間を提示するステップをさらに含む。
【０１０７】
当該実施例において、販売終了毎に統計して生成された現在の在庫情報に含まれる商品の量と商品の消費率とに基づいてスマート自動販売機に販売待ち商品を補充する補充時間を提示し、スマート自動販売機の筐体の十分な商品供給を確保するために、スマート自動販売機における販売待ち商品が品切れになる前にタイムリーに補充することを確保する。
【０１０８】
［実施例２］
図５に示すように、本発明の第２の実施例に係るスマート自動販売機の制御方法は、上記実施例のいずれか１つに記載のスマート自動販売機に用いられ、該制御方法は具体的には、
通信モジュールがサーバーからのドアオープンコマンドを受信すると、中央処理装置によってスマート自動販売機のドアを閉じた状態から開いた状態にするように制御するステップＳ５０２と、
ドアが開いた状態から再び閉じた状態になると、筐体の商品棚に残している全ての販売待ち商品の商品情報タグをタグスキャナで走査して筐体の現在の在庫情報を生成するステップＳ５０４と、
通信モジュールによって現在の在庫情報をサーバーに送信し、それによりサーバーが現在の在庫情報をドアが開く前の履歴在庫情報と比較して販売済み商品を特定し、販売済み商品の商品情報に基づいて対応する課金情報を生成し、且つ課金情報に基づいて移動端末機器と課金決済を行うステップＳ５０６と、を含む。
【０１０９】
当該実施例において、ユーザがスマート自動販売機の筐体における販売待ち商品を購入する必要がある場合、具体的には、ユーザが購入しようとする販売待ち商品を取り出すように、通信モジュールがサーバーから送信されたドアオープンコマンドを受信すると中央処理装置の制御によってスマート自動販売機のドアが開き、ユーザが商品を取り出してドアを閉めた後、主制御システムのタグスキャナは商品棚に現在残している全ての販売待ち商品に対応する商品情報タグを走査して該スマート自動販売機の現在の在庫情報を統計し、該スマート自動販売機の筐体のハウジング、筐体フレーム、ドアのドアフレーム及び透明窓は電磁シールド機能を有するように設けられ、ドアフレームと筐体フレームの間に電磁シールド機能を同様に有するシールリングが設けられるため、ドアを閉めるとスマート自動販売機内に電磁漏れギャップのない電磁シールドスペースを形成し、ドアと筐体とで構成される密閉空間の無線周波数信号が外部に漏れ、商品が誤って走査されることが発生しないように保証し、且つ筐体の内壁は電磁シールド機能のない非金属材料であるため、商品の決済に影響を与えず、優れた信号シールド効果、商品決済の低いエラー率、高い安全率の効果を達成する。このように、スマート自動販売機に設けられた１つのタグスキャナによってその中の販売待ち商品の在庫を正確に取得することができ、且つ該スマート自動販売機によってユーザはそのドアを開ける場合に要求を満たす商品を選択することができ、伝動機構を介してユーザが選択した商品を該機器から出力する必要がなく、それに応じて伝動機構を介して正確に出力するために販売待ち商品を商品棚の特定の位置に固定する必要がなく、スマート自動販売機の収納スペースを大幅に拡大し、且つ機器の生産コストを低減させ、ユーザの購入操作を容易にし、簡単で便利であり、ユーザ体験を効果的に向上させ、ユーザの生活に利便性を提供する。
【０１１０】
さらに、スマート自動販売機の通信モジュールによってスマート自動販売機の現在の在庫情報をサーバーに直接送信して販売済み商品を特定することもでき、つまり、サーバーは、ユーザが販売待ち商品を取り出した後に残している現在の在庫情報を履歴在庫情報と比較してユーザが取り出した販売済み商品を特定し、さらに販売済み商品に対応する商品情報タグにおける商品情報に基づいて、該販売済み商品の課金情報を生成し、さらに該販売済み商品の課金操作は具体的には生成された課金情報に基づいてサーバーがユーザの移動端末機器と課金決済を行い、このようにユーザが購入しようとする商品を取り出した後に支払いを行い、従来の自動販売機における伝動機構の故障によりユーザが支払った後に商品を正常に入手できないという事態を効果的に回避することができ、ユーザの使用体験をさらに向上させる。
【０１１１】
さらに、上記実施例において、販売待ち商品に付いているそれと１対１に対応する商品情報タグにはその名称、単価、分類、有効期限などの情報を含んでもよく、スマート自動販売機の識別情報タグに含まれる識別情報は該スマート自動販売機に対応する機器番号などの一意に識別可能な情報であってもよく、ここで、商品情報タグはＲＦＩＤタグを含み、タグスキャナはＲＦＩＤスキャナであり、識別情報タグはＱＲコード又はＮＦＣを含む。
【０１１２】
さらに、上記実施例において、ドアオープンコマンドはサーバーがユーザの識別情報に誤りがなく、ユーザの前回の課金決済が終了したことを確認し及び移動端末機器がドアの識別情報タグを走査して取得したスマート自動販売機の識別情報に誤りがないことを確認した場合に生成したものであり、ユーザの識別情報は、ＷｅＣｈａｔ（登録商標）アカウント情報及び／又はＡｌｉｐａｙ（登録商標）アカウント情報を含む。
【０１１３】
当該実施例において、スマート自動販売機がドアオープンコマンドに従ってドアを開ける前に、ユーザはまず移動端末機器によってスマート自動販売機のドアに設定された識別情報タグを走査して該スマート自動販売機の識別情報を取得し、また有効性を確認するために該識別情報を移動端末機器及びスマート自動販売機のそれぞれに関連付けられたサーバーに送信し、サーバーは、該識別情報に誤りがなく、ユーザの識別情報に誤りがなく、ユーザの前回の課金決済が終了したことを確認すると、対応するドアオープンコマンドを生成し、それによって料金収受の正確性を確保し、ユーザにタイムリーに料金を決済するように促し、販売者の損失を削減し、ここで、スマート自動販売機の識別情報は暗号化情報であることが好ましく、さらに移動端末機器又はサーバーによって暗号化されたスマート自動販売機の識別情報を復号処理することができる。
【０１１４】
さらに、上記実施例において、商品の支払い効率を向上させるために、移動端末機器とサーバーとの間に安全で便利なサインレス支払いを開通させ、取引が簡単で使用しやすい。
【０１１５】
さらに、上記実施例において、スマート自動販売機の制御方法は、ステップＳ５０４において筐体の現在の在庫情報を生成した後、以下の２つの具体的な実施例に示される方法のステップをさらに含む。
【０１１６】
［具体的な実施例１］
当該具体的な実施例において、前記制御方法は、現在の在庫情報に含まれる商品の量が予め設定された数の閾値より低いか否かを検出するステップと、現在の在庫情報に含まれる商品の量が予め設定された数の閾値より低い場合、スマート自動販売機に販売待ち商品を補充するように提示するステップと、をさらに含む。
【０１１７】
当該実施例において、販売終了毎に統計して生成された現在の在庫情報に含まれる商品の量と予め設定された数の閾値との大小比較結果に基づいて、販売者に商品補充を提示する必要があるか否かを判定し、特に該商品の量が予め設定された数の閾値よりも小さい場合に、スマート自動販売機の筐体内の十分な商品供給を確保するために、スマート自動販売機に販売待ち商品を補充するように提示する。
【０１１８】
ここで、販売待ち商品の在庫統計を行うことができるように、予め設定された数の閾値は具体的にはスマート自動販売機の筐体の体積容量に基づいて設定することができる。
【０１１９】
［具体的な実施例２］
当該具体的な実施例において、前記制御方法は、現在の在庫情報に含まれる商品の量と商品の消費率とに基づいて、スマート自動販売機に販売待ち商品を補充する補充時間を提示するステップをさらに含む。
【０１２０】
当該実施例において、販売終了毎に統計して生成された現在の在庫情報に含まれる商品の量と商品の消費率とに基づいてスマート自動販売機に販売待ち商品を補充する補充時間を提示し、スマート自動販売機の筐体の十分な商品供給を確保するために、スマート自動販売機における販売待ち商品が品切れになる前にタイムリーに補充することを確保する。
【０１２１】
さらに、上記実施例１及び実施例２に記載の制御方法において、具体的には、スマート自動販売機の電源がオンになっていることを検出する時、中央処理装置によってスマート自動販売機の負荷制御モジュールに第１のオンコマンドを送信し、負荷制御モジュールが第１のオンコマンドに応じてスマート自動販売機の冷却システムをオンにすることと、スマート自動販売機の電源がオフになっていることを検出する時、中央処理装置によってスマート自動販売機の負荷制御モジュールに第１のオフコマンドを送信し、負荷制御モジュールが第１のオフコマンドに基づいてスマート自動販売機の冷却システムをオフにすることと、をさらに含む。
【０１２２】
さらに、上記図４に示される実施例１及び図５に示される実施例２に記載の制御方法において、具体的には以下をさらに含む。
【０１２３】
スマート自動販売機が位置している環境の輝度が予め設定された輝度の閾値以下であることを検出した場合には、中央処理装置によってスマート自動販売機の負荷制御モジュールに第１のオンコマンドを送信し、負荷制御モジュールが第１のオンコマンドに応じてスマート自動販売機の照明装置をオンにし、環境の輝度が予め設定された輝度の閾値より高い場合に中央処理装置によってスマート自動販売機の負荷制御モジュールに第１のオフコマンドを送信し、負荷制御モジュールが第１のオフコマンドに応じてスマート自動販売機の照明装置をオフにする。
【０１２４】
あるいは、スマート自動販売機のドアが開いていることを検出した場合、中央処理装置によってスマート自動販売機の負荷制御モジュールに第３のオンコマンドを送信し、負荷制御モジュールが第３のオンコマンドに応じてスマート自動販売機の照明装置をオンにし、ドアが閉じた場合、中央処理装置によってスマート自動販売機の負荷制御モジュールに第３のオフコマンドを送信し、負荷制御モジュールが第３のオフコマンドに応じてスマート自動販売機の照明装置をオフにする。
【０１２５】
スマート自動販売機の照明装置はＬＥＤ照明ランプなどであってもよい。
【０１２６】
上記実施例における前記制御方法のステップはスマート自動販売機の主制御システムの中央処理装置が対応するプログラムコマンドを実行することで実現できる。
【０１２７】
本発明の実施例によれば、コンピュータ可読記憶媒体を提供し、コンピュータプログラムが記憶され、前記コンピュータプログラムがプロセッサによって実行されると、上記実施例のいずれか１つに記載のスマート自動販売機の制御方法のステップを実現する。
【０１２８】
さらに、理解できるように、フローチャート又は本明細書で他の形で記述されたいかなるプロセス又は方法の説明は、特定の論理機能又はプロセスのステップを実現するための１つ又は複数の実行可能なコマンドを含むモジュール、セグメント又はコードの一部を表し、及び本発明の好ましい実施形態の範囲は別の実現を含むが、これは図示又は説明された順序ではない場合があり、関連する機能に応じて、実質的に同時又は逆の順序で機能を実行することを含むことであり、本発明の実施例が属する技術分野における当業者によって理解されるであろう。
【０１２９】
フローチャートで示されるか又は本明細書で他の形で記述された論理及び／又はステップは、例えば、論理機能を実現するための実行可能なコマンドの順序付きリストと見なされてもよく、コマンド実行システム、装置、又は機器（例えば、コンピュータベースのシステム、プロセッサを含むシステム、又はコマンド実行システム、装置、又は機器からコマンドを読み取って実行できる他のシステム）の使用に用いられるか、又はこれらのコマンド実行システム、装置、又は機器と組み合わせて使用するように、任意のコンピュータ可読媒体で具現化されてもよい。本明細書に関しては、「コンピュータ可読媒体」は、コマンド実行システム、装置、又は機器で使用するか、又はそのようなコマンド実行システム、装置、又は機器と組み合わせて使用するための、プログラムを含有、記憶、通信、伝播、又は輸送できる任意の装置であってもよい。コンピュータ可読媒体のより具体的な例（非網羅的なリスト）として、１つ又は複数の電気配線接続部（電子装置）、ポータブルコンピュータディスクカートリッジ（磁気装置）、ランダムアクセスメモリ（ＲＡＭ）、読み出し専用メモリ（ＲＯＭ）、消去可能プログラマブル読み出し専用メモリ（ＥＰＲＯＭ又はフラッシュメモリ）、光ファイバー装置、及びポータブルコンパクトディスク読み出し専用メモリ（ＣＤＲＯＭ）が挙げられる。さらに、コンピュータ可読媒体は、その上に前記プログラムを印刷できる紙又は他の適切な媒体であってもよく、例えば、紙又は他の媒体によって光学的にスキャンされ、その後、前記プログラムを電子的に取得するために、編集、解釈、又は必要に応じて他の適切な方法で処理でき、そしてそれをコンピュータのメモリに記憶する。
【０１３０】
本発明の各セクションはハードウェア、ソフトウェア、ファームウェア、あるいはそれらの組み合わせによって実現できると理解すべきである。上記の実施形態では、複数のステップ又は方法は、メモリに記憶され、適切なコマンド実行システムによって実行されるソフトウェア又はファームウェアで実現されてもよい。例えば、ハードウェアで実現する場合、別の実施形態のように、データ信号に対して論理機能を実現するための論理ゲート回路を備えた離散論理回路、適切な組み合わせ論理ゲート回路を有する専用集積回路、プログラマブルゲートアレイ（ＰＧＡ）、フィールドプログラマブルゲートアレイ（ＦＰＧＡ）など当技術分野で周知している技術のいずれか１つ又は組み合わせによって実現することができる。
【０１３１】
当業者は上記実施例の方法に付帯するステップの全て又は一部はプログラムによって関連するハードウェアを指示して完了することができ、前記プログラムはコンピュータ可読記憶媒体に記憶され、該プログラムは実行されるときに、方法例のステップの１つ又はその組み合わせを含む。
【０１３２】
さらに、本発明の各実施例における各機能ユニットは、１つの処理モジュールに統合されてもよく、各ユニットは物理的に別々に存在してもよく、又は２つ以上のユニットが１つのモジュールに統合されてもよい。上記の統合モジュールは、ハードウェアの形で実現されてもよく、ソフトウェア機能モジュールの形で実現されてもよい。前記統合モジュールは、ソフトウェア機能モジュールの形で実現され且つスタンドアロン製品として販売又は使用される場合、コンピュータ可読記憶媒体に記憶することもできる。
【０１３３】
上記言及した記憶媒体は、読み出し専用メモリ、磁気ディスク、又は光ディスクなどであってもよい。
【０１３４】
以上は図面を参照して本発明の技術的手段を詳細に説明し、当該技術的手段におけるスマート自動販売機はユーザがその識別情報タグを走査してドアを開け、販売待ち商品を任意に選択した後にサーバーにより決済することを許可し、ユーザが操作しやすく、且つ信号シールド効果に優れ、商品決済のエラー率が低く、安全率が高く、それによりユーザの使用体験を効果的に向上させる。
【０１３５】
本発明の実施例において、用語「第１」、「第２」及び「第３」は説明の目的に用いられ、それは相対的な重要性を表すことを理解することができず、当業者であれば、本発明の実施例における上記用語の特定の意味は、特定の状況に従って理解することができる。
【０１３６】
以上は本発明の好適な実施例にすぎず、本発明を限定するものではなく、当業者であれば、本発明に対して様々な変更及び変形を行うことができる。本発明の趣旨及び原則内に行われた任意の修正、均等置換、改善などは、本発明の保護範囲内に含まれるべきである。
【符号の説明】
【０１３７】
１０  筐体
２０  ドア
３０  主制御システム
４０  ロック機構
５０  照明装置
６０  冷却システム
７０  シールリング
１０２  商品棚
１０４  ハウジング
１０６  筐体フレーム
１０８  内壁
２０２  識別情報タグ
２０４  ドアフレーム
２０６  透明窓
２０８  ハンドル
３０２  識別情報タグ
３０４  タグスキャナ
３０６  通信モジュール
３０８  電源モジュール
３１０  負荷制御モジュール
３１２  検出モジュール
３１４  メモリ
４０２  ロック本体部
４０４  ロックキャッチ
【図１】
2021506041.tif 000003
【図２】
2021506041.tif 000004
【図３】
2021506041.tif 000005
【図４】
2021506041.tif 000006
【図５】
2021506041.tif 000007
【国際調査報告】
2021506041.tif 000008
2021506041.tif 000009
2021506041.tif 000010
2021506041.tif 000011
2021506041.tif 000012